(57)【要約】【課題】通信端末及び機能モードを変更する方法を提供する。【解決手段】本発明は、モバイル通信端末の基体回転によってその機能を変更することができるユーザーインターフェースを提供する。本発明は、表示部を具備した第１の基体と、第２の基体と、前記第１及び第２の基体を結合して、これらが所定軸を中心として相互に回転できるようにする結合部と、前記第１及び第２の基体の間の相対回転方向を検出して機能を変更し、変更された機能に対応する画像を表示部上に表示するように構成された制御部と、を含む。【選択図】  図１Ａ
2008085991.tif 000002
【特許請求の範囲】
【請求項１】
モバイル通信端末であって、
表示部を具備した第１の基体と、
第２の基体と、
前記第１及び第２の基体を結合して、これらが所定軸を中心として１８０度より大きく相互に回転できるようにする結合部と、
前記第１及び第２の基体の間の回転角度によって機能を変更し、変更された機能に対応する画像を表示部上に表示するように構成された制御部と、を含み、
前記第１の基体と第２の基体との間の複数の相対回転角度の各々に異なる機能が対応することを特徴とするモバイル通信端末。
【請求項２】
前記制御部は、全ての前記回転角度及び回転方向間の回転角度によって機能を変更することを特徴とする請求項１に記載のモバイル通信端末。
【請求項３】
前記結合された第１及び第２の基体の対応面は、各々正多角形で構成されることを特徴とする請求項１に記載のモバイル通信端末。
【請求項４】
前記第１及び第２の基体が相互に回転するとき、前記対応面が相互に一致する位置に前記第１及び第２の基体を整列する固定構造をさらに含むことを特徴とする請求項３に記載のモバイル通信端末。
【請求項５】
第２の基体は、複数の露出面の中で少なくとも一つに提供された入力部を含むことを特徴とする請求項１に記載のモバイル通信端末。
【請求項６】
前記第１の基体は、複数の表示部をさらに含むことを特徴とする請求項１に記載のモバイル通信端末。
【請求項７】
前記第２の基体は、少なくとも一つの表示部を含むことを特徴とする請求項６に記載のモバイル通信端末。
【請求項８】
前記結合部は、前記第１及び第２の基体が相互に回転し、前記制御部が前記機能を変更できるように構成されたフレキシブルプリント回路基板(ＦＰＣＢ)をさらに含むことを特徴とする請求項１に記載のモバイル通信端末。
【請求項９】
前記結合部は、前記第１及び第２の基体が３６０度より大きく相互に回転し、前記制御部が前記機能を変更できるように構成された４−ウェイコネクタ(４−ｗａｙ ｃｏｎｎｅｃｔｏｒ)システムをさらに含むことを特徴とする請求項１に記載のモバイル通信端末。
【請求項１０】
前記４−ウェイコネクタシステムは、コネクタに４−ウェイ断面を提供して前記第１及び第２の基体の回転に対する接触点を変更することを特徴とする請求項９に記載のモバイル通信端末。
【請求項１１】
前記第１及び第２の基体は、相互に３６０度回転することを特徴とする請求項１に記載のモバイル通信端末。
【請求項１２】
前記第１及び第２の基体の間の回転角度を検出するように構成された回転検出部をさらに含むことを特徴とする請求項１に記載のモバイル通信端末。
【請求項１３】
前記回転検出部は、前記第１の基体、前記第２の基体及び前記結合部の中で少なくとも一つに提供されることを特徴とする請求項１２に記載のモバイル通信端末。
【請求項１４】
所定軸を中心として相互に回転可能に結合された第１及び第２の基体を含むモバイル通信端末における機能を変更する方法であって、
前記第１及び第２の基体の間の相対回転角度を検出するステップと、
前記検出された回転角度によって画像を前記モバイル通信端末の表示部上に表示するステップと、を含み、
前記第１及び第２の基体は、複数の相対回転角度各々に対応する異なる機能で１８０度より大きく相互に回転することを特徴とする機能変更方法。
【請求項１５】
前記第１及び第２の基体は、相互に３６０度回転が可能であることを特徴とする請求項１４に記載の機能変更方法。
【請求項１６】
前記結合された第１及び第２の基体の対応面は、正多角形で構成されることを特徴とする請求項１４に記載の機能変更方法。
【請求項１７】
３６０度より大きい回転の検出ステップは、前記第１及び第２の基体が相互に回転して前記機能を変更できるようにフレキシブルプリント回路基板(ＦＰＣＢ)を構成するステップを含むことを特徴とする請求項１４に記載の機能変更方法。
【請求項１８】
３６０度より大きい回転の検出ステップは、前記第１及び第２の基体が相互に回転して前記機能を変更できるように４−ウェイコネクタシステムを構成するステップを含むことを特徴とする請求項１４に記載の機能変更方法。
【請求項１９】
前記第２の基体の複数の露出面の中で一つに提供された入力部が、前記第１の基体の複数の露出面の中でいずれか一つに提供される表示部に平行に整列されているか否かを検出するステップと、
前記決定された入力部に該当する機能を活性化するステップと、
をさらに含むことを特徴とする請求項１４に記載の機能変更方法。
【請求項２０】
モバイル通信端末であって、
表示部を具備した第１の基体と、
所定機能が割り当てられ、複数の露出面の中で少なくとも一つに提供される入力部を含む第２の基体と、
前記第１及び第２の基体を結合して、これらが所定軸を中心として３６０度相互に回転できるようにする結合部と、
前記第１及び第２の基体の間の相対回転によって前記表示部に平行な露出面に提供された前記入力部に割り当てられた前記所定機能を活性化する制御部と、
前記第１及び第２の基体の間の回転角度を検出する回転検出部と、を含み
前記結合部は、前記第１及び第２の基体が相互に回転して所定機能を変更できるように構成されたフレキシブルプリント回路基板(ＦＰＣＢ)及び４−ウェイコネクタシステムの中で少なくとも一つを含むことを特徴とするモバイル通信端末。
【発明の詳細な説明】
【技術分野】
【０００１】
本出願は２００６年７月２０日に出願された大韓民国特許出願番号第１０−２００６−００６８１１４号の優先権を主張して、その全体が参照文献として本出願に統合される。
本発明は、モバイル通信端末に係り、特に、モバイル通信端末及びその機能モードを変更する方法に関する。本発明は広い範囲のアプリケーションに適合するが、特に、基体の回転によってその機能モードを変更して、モバイル通信端末の構成を容易に維持または操作できる新しい概念のユーザーインターフェースを提供することにおいて適合する。
【背景技術】
【０００２】
一般的に、モバイル通信端末は、バータイプ(ｂａｒ ｔｙｐｅ)、フォルダタイプ(ｆｏｌｄｅｒ ｔｙｐｅ)、スライドタイプ(ｓｌｉｄｅ ｔｙｐｅ)、スイングタイプ(ｓｗｉｎｇ ｔｙｐｅ)などに分類される。これら４種の形態は、各種ユーザーの嗜好を満足させながらモバイル通信端末により提供される多様な機能を容易に具現するように統合される傾向がある。
【０００３】
モバイル通信端末は、一般的にバータイプモバイル通信端末の場合を除外しては、２個の基体からなる。フォルダタイプ、スライドタイプまたはスイングタイプのモバイル端末は２個の基体の相対的な回転によって２個の基体の相対位置を変更するように構成される。
【０００４】
また、従来のモバイル通信端末は、２個の基体の相対位置の変動によってユーザーに提供された機能を自動に変更することができなかった。一部の場合には、従来のモバイル通信端末が２個の基体の相対位置の変動によって非常に制限的な機能変動が可能であった。例えば、モバイル通信端末は２個の基体の相対位置の変動によって電力節減モードから待機モードに入る。他の例では、モバイル通信端末が２個の基体の相対位置の変動によって垂直視聴モードから水平視聴モードに入る。
【０００５】
しかし、このような非常に制限的な機能変動は、モバイル通信端末を利用するユーザーに新しい便宜と楽しさを提供するにおいて不十分であった。
【発明の開示】
【発明が解決しようとする課題】
【０００６】
したがって、本発明は上述したような従来技術の問題点を解決するためになされたもので、従来の制限及び短所に起因した問題点を実質的に解消する、モバイル通信端末及びその機能モードの変更方法を志向する。
【課題を解決するための手段】
【０００７】
前記目的を達成するための本発明の一態様によるモバイル通信端末は、表示部を具備した第１の基体と、第２の基体と、第１及び第２の基体を結合して、これらが所定軸を中心として相互に回転できるようにする結合部と、第１及び第２の基体の間の相対回転方向を考慮して機能を変更し、変更された機能モードに対応する画像を表示部上に表示するように構成された制御部と、を含む。
【０００８】
本発明の他の態様によれば、モバイル通信端末は、表示部を具備した第１の基体と、第２の基体と、第１及び第２の基体を結合して、これらが所定軸を中心として３６０度相互に回転できるようにする結合部と、第１及び第２の基体の間の相対回転方向を考慮して機能を変更し、変更された機能モードに対応する画像を表示部上に表示するように構成された制御部と、を含む。
【０００９】
本発明のまた他の態様によれば、所定軸を中心として相互に回転可能に結合された第１及び第２の基体を含むモバイル通信端末において、機能モードの変更方法は、第１及び第２の基体の間の相対回転方向及び相対回転角を検出するステップと、第１及び第２の基体の間の回転角によってモバイル通信端末により提供される機能を変更するステップと、変更された機能とマッチングされる画像をモバイル通信端末の表示部上に表示するステップと、を含む。
【００１０】
本発明のまた他の態様によれば、所定軸を中心として相互に回転可能に結合された第１及び第２の基体を含むモバイル通信端末における機能の変更方法は、第１及び第２基体の間の相対回転を検出するステップと、表示部に平行に整列された第２の基体の複数の露出面の中で一つに提供される入力部を検出するステップと、検出された相対回転によって、表示部が第１の基体の複数の露出面の中で一つに提供されるステップと、検出された入力部にマッチングする機能モードを活性化するステップと、活性化された機能モードにマッチングする画像を表示部に表示するステップと、を含む。
【００１１】
（２０）
本発明のまた他の態様によれば、モバイル通信端末は、表示部を具備した第１の基体と、所定の機能が割り当てられた入力部(入力部は第２の基体の複数の露出面の中で少なくとも一つに提供される)を具備した第２の基体と、第１及び第２の基体を結合して所定軸を中心として３６０度相互に回転できるようにする結合部と、第１及び第２の基体の間の相対回転によって、表示部に平行な露出面に提供される入力部に割り当てられた機能を活性化するように構成された制御部と、第１及び第２の基体の間の回転角を検出するように構成された回転検出部と、を含む。
【００１２】
本発明に係る前述した課題を解決するための手段の説明と後述する実施形態の説明は、例示であり、説明目的のものであり、本発明のさらなる説明を提供することを意図していることを理解すべきである。
【発明の効果】
【００１３】
本発明によれば、基体の回転によって機能モードを変更することが可能な概念的なユーザーインターフェースを提供できるので、ユーザーに、面白くて便利に使用することができるモバイル端末を提供することができる。
【００１４】
また、端末を構成する２個の基体間の相対回転角度及び相対回転方向によって各機能モードを異なるように変更することにより、機能変動の多様な組み合わせを達成することができる。
【００１５】
また、各基体の断面を正多角形で構成することにより、本発明は基体の回転角度及び方向を含む回転範囲に関係なく、端末に対応する基体構成を容易に維持することができる。特に、端末はユーザーが特定方向から特定角度で基体を回転した後に基体を元の位置に戻さなくても、所定回転状態を維持して操作することができる。
【００１６】
また、各基体の断面を正多角形で構成することにより、端末により提供された各種機能に適合する複数の入力部を同時に提供することができる。その結果、本発明はユーザーにモバイル通信端末の使用時の便宜を提供する。
【００１７】
また、本発明は、カメラのような脱着可能な機能モジュールを装着または装着解除できる余地を確保することができる。
【発明を実施するための最良の形態】
【００１８】
以下、本発明の好ましい実施の形態について、添付図面を参照しつつ詳細に説明する。なお、説明において、同一な図面参照符号は、同一または類似な構成要素を言及することに使用される。
【００１９】
本発明の一実施形態によるモバイル通信端末について、以下、図１（図１Ａ及び図１Ｂ）及び図２を参照して詳しく説明する。図１Ａ及び図１Ｂは、本発明の一実施形態によるモバイル通信端末の斜視図であり、図２は、本発明の一実施形態によるモバイル通信端末のブロック図である。
【００２０】
図１及び図２に示したように、本発明の一実施形態によるモバイル通信端末は、第１の基体１００と、第２の基体２００と、第１の基体１００及び第２の基体２００を結合し、結合された第１の基体１００及び第２の基体２００の間の相対的な回転が所定軸、Ａ−Ａを中心として回転可能にする結合部３００と、を含む。
【００２１】
好ましくは、図１Ａ及び図１Ｂに示した所定軸、Ａ−Ａは、通常第１の基体１００及び第２の基体２００を貫通する。結合された第１の基体１００及び第２の基体２００の対応面１０５、２０５は各々相互に同一な正多角形である。対応する各々の面１０５、２０５が正多角形で構成される場合、モバイル通信端末の対応する構成及び操作は、第１の基体１００及び第２の基体２００の相対位置に関係なく、第１の基体１００及び第２の基体２００間の相対回転によって容易に維持される。
【００２２】
各々の対応面１０５、２０５が正多角形で構成される場合、図１に示した第１の基体１００または第２の基体２００の外部に露出された各々の面１０７、２０７は、ここに複数の異なるタイプの入力部が提供できるように大幅に広くなる。図１に示したモバイル通信端末は、同一な面積のサイズを有する一対の対応面１０５、２０５を有する。
【００２３】
本発明の一実施形態によるモバイル通信端末は、第１の基体１００及び第２の基体２００が相対的に回転する場合、対応面１０５、２０５が相互に一致する位置に第１の基体１００及び第２の基体２００を整列させる位置固定構造(図示せず)をさらに含む。更に、位置固定構造は、第１の基体１００及び第２の基体２００の相対回転に必要な所定力が印加されない限り、第１の基体１００及び第２の基体２００がランダムに回転することを防止する役目をする。
【００２４】
以下、第１の基体１００及び第２の基体２００が結合部３００により相互に回転するときの構成について説明する。
【００２５】
図３は、本発明の一実施形態によるモバイル通信端末の断面図であり、ローリングシステムを示す。
【００２６】
図３を参照すれば、第１の基体１００または第２の基体２００のハウジング３１０内であって、中心ヒンジ３０４及びメインボードＰＣＢ(Ｐｒｉｎｔｅｄ Ｃｉｒｃｕｉｔ Ｂｏａｒｄ)３０６の間にマージンスペース(ｍａｒｇｉｎ ｓｐａｃｅ)３０２が提供される。ＦＰＣＢ(ｆｌｅｘｉｂｌｅ ＰＣＢ)３０８は、中心ヒンジ３０４に結合され、マージンスペース３０２内で、第１の基体１００及び第２の基体２００の相対回転によって巻かれる。ローリングシステムによれば、第１の基体１００及び第２の基体２００は相互に３６０度回転することができる。回転角度は、中心ヒンジ３０４、メインボードＰＣＢ３０６及びＦＰＣＢ３０８間のマージンスペース３０２によって可変される。
【００２７】
図４Ａ乃至図４Ｄは、本発明の一実施形態によるモバイル通信端末の断面図であり, ＦＰＣＢ３０８がローリングシステムによって巻かれている。図４Ａ乃至図４Ｄを参照すれば、第１の基体１００及び第２の基体２００は、０度(図４Ａ)、９０度(図４Ｂ)、１８０度(図４Ｃ)、または３６０度(図４Ｄ)一方向に回転する。
【００２８】
図５は、本発明の他の実施形態によるモバイル通信端末の断面図であり、４−ウェイ(ｗａｙ)結合システム５００を示す。
【００２９】
図５を参照すれば、４−ウェイ結合システム５００は、コネクタ５０２を４−ウェイ断面に提供することにより、第１の基体１００及び第２の基体２００の相対回転によって接触点を変更する。図５の拡大図に示したように、各々の４−ウェイコネクタ５０２は外部操作部５０４及び内部信号伝送部５０６を含む。４−ウェイ結合システム５００によれば、最大回転角度は無限的である。
【００３０】
図２に示したように、本発明の一実施形態によるモバイル通信端末は、モバイル通信モジュール１１０、表示部１１１、制御部１１２、回転検出部３１３、カメラモジュール２１４、入力部２１５及びメモリー部２１６を含む。
【００３１】
モバイル通信モジュール１１０、表示部１１１、制御部１１２、カメラモジュール２１４、入力部２１５またはメモリー部２１６が、第２の基体２００の一部として示されても、これらは第１の基体１００の一部として提供することができる。
【００３２】
さらに、図２において結合部３００の一部として示された回転検出部３１３は、第１の基体１００または第２の基体２００の一部として提供することができる。
【００３３】
従って、モバイル通信モジュール１１０、表示部１１１、制御部１１２、回転検出部３１３、カメラモジュール２１４、入力部２１５またはメモリー部２１６は、必ずしも図２に示された方式のように、第１の基体１００、第２の基体２００または結合部３００の一部として提供される必要はない。
【００３４】
本発明において、モバイル通信１１０はモバイル通信端末でデータを交換する通信端末である。表示部１１１はモバイル通信端末の各種情報または状態を表示するのに適用される表示装置である。制御部１１２は本発明によるモバイル通信端末の全体動作を制御する。回転検出部３１３は第１の基体１００及び第２の基体２００の間の相対回転を検出し、相対回転の方向及び角度の表示を制御部１１２に伝達する。カメラモジュール２１４はレンズ及び画像センサーを含む撮像装置である。カメラモジュール２１４はモバイル通信端末から脱着可能である。入力部２１５はユーザーから各種情報またはコマンドを受信する入力装置であり、キーパッド、タッチパッドまたはタッチスクリーンで具現できる。
【００３５】
メモリー部２１６は、本発明によるモバイル通信端末の全体動作を制御する所定プログラムを保存する。更に、メモリー部２１６は制御部がモバイル通信端末の全体動作を実行するとき、各種交換されたまたは操作されたデータを保存する。
【００３６】
以下、本発明の一実施形態によるモバイル通信端末について、制御部１１２の動作を参照して説明する。
【００３７】
制御部１１２は、第１の基体１００及び第２の基体２００の間の相対回転方向、並びに、第１の基体１００及び第２の基体２００の間の相対回転角度の中で少なくとも一つを考慮して機能モードを変更する。制御部１１２は表示部１１１上に表示される変更機能モードに対応する画像を制御する。変更された機能モードに対応する画像は変更された機能モードに対応するメニューを含む。相対回転方向及び相対回転角度による機能モードの変更はユーザーにより多様な位置で設定できる。
【００３８】
機能モードは、本発明によるモバイル通信端末により提供される複数の機能の中の一つである。機能モードの例としては、モバイル通信ネットワークを通じて呼を接続する通信モード、モバイル通信ネットワークを通じてＳＭＳ(短文メッセージサービス)またはＭＭＳ(マルチメディアメッセージサービス)によるメッセージを交換するためのメッセージモード、ＭＰ３のような音楽ファイルを再生する音楽モード、及びカメラモジュール２１４を利用して静止画または動画を撮像するカメラモードがある。
【００３９】
さらに、本発明によるモバイル通信端末は、ＧＰＳ(ｇｌｏｂａｌ ｐｏｓｉｔｉｏｎｉｎｇ Ｓｙｓｔｅｍ)のような無線位置確認システムによる位置情報提供機能、ナビゲーション機能、動画駆動機能、モバイル通信ネットワークを通じた無線インターネットアクセス機能などを含む多様な機能を提供することができる。
【００４０】
図６は、相対的な基体回転に対応して変更された機能を例示した図として、図６Ａ乃至図６Ｄは、各々通信モード、メッセージモード、音楽モード及びカメラモードを示す。本発明によるモバイル通信端末の機能モード変動の例は後述する。
【００４１】
図示するように、図６の（ａ）において、第２の基体２００が第１の基体１００に対して左側方向に９０度回転した場合、図６の（ｂ）に示されたメッセージモードに入る。そして、入ったメッセージモードにマッチングする画像が表示部１１１上に表示される。メッセージモードにマッチングする画像はユーザーにより設定できる。例えば、本発明によるモバイル通信端末により提供されるメッセージ交換機能と関連されたメニューを表示することができる。
【００４２】
また他の例として、図６の（ａ）において、第２の基体２００が第１の基体１００に対して右側方向に９０度回転した場合、図６の（ｃ）に示された音楽モードに入る。そして、入った音楽モードにマッチングする画像が表示部１１１上に表示される。例えば、音楽モードにマッチングする画像は音楽ファイル探索、音楽ファイル再生などのような音楽モードと関連されたメニューを示す画像を含む。
【００４３】
第２の基体２００が、図６の（ｂ）に示したメッセージモードで、第１の基体１００に対して左側方向に９０度回転するか、または第２の基体２００が、図６の（ｃ）に示した音楽モードで、第１の基体１００に対して右側方向に９０度回転した場合、図６の（ｄ）に示したカメラモードに入る。その後、入ったカメラモードにマッチングする画像が表示部１１１上に表示される。例えば、全てのカメラにマッチングする画像はカメラ機能と関連されたメニューまたはカメラプレビュー画像を含む。
【００４４】
従って、モバイル通信端末は、割り当てられた少なくとも一つの機能モードを具備した入力部に、第２の基体２００の各露出面を提供することができる。特に、異なる入力部は第２の基体２００の複数の露出面に、各々提供することができる。例えば、図６の（ａ）に示した入力部(215a)は通信モードにだけ適合する数字キーを含む。図６の（ｂ）に示した入力部(215b)はメッセージモードにだけ適合する数字文字キーを含む。また、図６の（ｃ）に示した入力部(215c)は音楽モードにだけ適合する方向キーを含む。
【００４５】
さらに、入力部２１５ａ、２１５ｂ、２１５ｃがキーパッドを含む必要はなく、代わりに、入力部２１５ａ、２１５ｂ、２１５ｃはタッチパッドに含まれることができる。
【００４６】
以下、本発明の他の実施形態によるモバイル通信端末について、制御部１１２の動作に対する図１乃至図６を参照して説明する。
【００４７】
本発明のこのような実施形態によれば、第１の基体１００は表示部１１１を含み、第２の基体２００は自分の少なくとも一つの露出面に割り当てられた所定機能モードを具備した入力部を含む。
【００４８】
制御部１１２は、第１の基体１００及び第２の基体２００の間の相対回転によって、表示部１１１に平行に整列された露出面に割り当てられる機能モードを活性化するように制御する。この場合、制御部１１２は第１の基体１００及び第２の基体２００の間の相対回転角度、並びに、第１の基体１００及び第２の基体２００の間の相対回転方向の中で少なくとも一つを考慮して機能モードを変更することができる。
【００４９】
例えば、図６の（ａ）に示した通信モードで、第２の基体２００が第１の基体１００に対して左側方向に９０度回転した場合、図６の（ｂ）に示したメッセージモードは活性化されて、表示部１１１に平行に整列された露出面に提供される入力部２１５ｂに割り当てられる。
【００５０】
さらに、図６の（ａ）に示した通信モードで、第２の基体２００が第１の基体１００に対して右側方向に９０度回転した場合、図６の（ｂ）に示した音楽モードは活性化されて、表示部１１１に平行に整列された露出面に提供される入力部２１５ｃに割り当てられる。
【００５１】
本発明の一実施形態によるモバイル通信端末で機能モードを変更する方法について、図７を参照して説明する。この方法は、図１乃至図６に示したモバイル通信端末により具現される。
【００５２】
図７は、本発明の一実施形態によるモバイル通信端末で機能モードを変更する方法を示すフローチャートである。図７を参照すれば、第１の基体１００及び第２の基体２００の間の相対回転方向及び角度が検出される(ステップ７０、図ではＳ７０と略記する。以下同様)。
【００５３】
検出された相対回転方向及び角度によって、モバイル通信端末により提供される機能モードが変更される(ステップ７１)。そして、変更された機能モードにマッチングする画像が表示部１１１上に表示される(ステップ７２)。
【００５４】
図８を参照して、本発明の他の実施形態によるモバイル通信端末で機能モードを変更する方法について説明する。この方法は、図１乃至図６に示したモバイル通信端末により具現される。
【００５５】
図８は、本発明の他の実施形態によるモバイル通信端末で機能モードを変更する方法を示すフローチャートである。図８を参照すれば、第１の基体１００及び第２の基体２００の間の相対回転が検出される(ステップ８０)。
【００５６】
第２の基体２００の複数の露出面の中で一つに提供されると共に第１の基体の中で露出された一つの面に提供される表示部に平行に整列された入力部は、検出された回転角度によって決まる(ステップ８１)。検出された入力部にマッチングする機能モードが活性化される(ステップ８２)。そして、活性化された機能モードにマッチングする画像が表示部１１１上に表示される(ステップ８３)。
【産業上の利用可能性】
【００５７】
以上、本発明の詳細な説明においては具体的な実施形態に関して説明したが、形式や細部についての様々な変更が、特許請求の範囲の記載により規定されるような本発明の精神及び範囲から逸脱することなく行われることが可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００５８】
【図１Ａ】本発明の一実施形態によるモバイル通信端末を示す斜視図である。
【図１Ｂ】本発明の一実施形態によるモバイル通信端末を示す斜視図である。
【図２】本発明の一実施形態によるモバイル通信端末を示すブロック図である。
【図３】モバイル通信端末のローリングシステムを例示する断面図である。
【図４Ａ】ＦＰＣＢが巻かれたモバイル通信端末がローリングシステムを例示する断面図である。
【図４Ｂ】ＦＰＣＢが巻かれたモバイル通信端末がローリングシステムを例示する断面図である。
【図４Ｃ】ＦＰＣＢが巻かれたモバイル通信端末がローリングシステムを例示する断面図である。
【図４Ｄ】ＦＰＣＢが巻かれたモバイル通信端末がローリングシステムを例示する断面図である。
【図５】モバイル通信端末の４−ウェイ結合システムを例示する断面図である。
【図６】相対的な基体回転による変更された機能を例示した図である。
【図７】本発明の一実施形態によるモバイル通信端末での機能変更方法を示すフローチャートである。
【図８】本発明の他の実施形態によるモバイル通信端末での機能変更方法を示すフローチャートである。
【図１Ａ】
2008085991.tif 000003
【図１Ｂ】
2008085991.tif 000004
【図２】
2008085991.tif 000005
【図３】
2008085991.tif 000006
【図４Ａ】
2008085991.tif 000007
【図４Ｂ】
2008085991.tif 000008
【図４Ｃ】
2008085991.tif 000009
【図４Ｄ】
2008085991.tif 000010
【図５】
2008085991.tif 000011
【図６】
2008085991.tif 000012
【図７】
2008085991.tif 000013
【図８】
2008085991.tif 000014
【外国語明細書】
2008085991000001.pdf
2008085991000002.pdf
2008085991000003.pdf
2008085991000004.pdf